(57)【特許請求の範囲】
【請求項１】
オストミー器具において、
ａ：前パネル及び後パネルと、
ｂ：身体老廃物からの悪臭ガスを脱臭するフィルターと、
ｃ：前記前パネルと前記後パネルとの間の中央パネルと、
を備えており、
前記前パネル及び前記後パネルは、少なくとも部分的に、それらの周縁に沿って、互いにシールされており、
前記前パネル及び前記後パネルは、パウチを形成しており、
前記後パネルは、ストーマを通って排出された身体老廃物が前記パウチで捕捉されるように、ストーマ周り位置決め用の瘻孔開口部を、有しており、
前記フィルターは、前記前パネルに位置しており、
前記フィルターは、脱臭された前記ガスを大気へ放出するための開口を、備えており、
前記中央パネルは、少なくとも部分的に前記フィルターを覆っており、
前記中央パネルは、底縁を有しており、
前記底縁は、前記前パネル及び前記後パネルの底縁の上方に位置付けされており、前記パウチの周縁に沿って前記前パネル及び前記後パネルに取り付けられており、
前記中央パネルは、１つ以上の突起を備えた領域と実質的に突起無しの領域とを、備えており、前記中央パネルの一部は、前記瘻孔開口部を通して露出しており、前記瘻孔開口部を通して露出している前記中央パネルの前記一部は、実質的に突起無しの前記領域内にある、
ことを特徴とするオストミー器具。
【請求項２】
前記中央パネル及び前記前パネルが、部分的に互いに取り付けられている、
請求項１記載のオストミー器具。
【請求項３】
前記中央パネル及び前記前パネルが、前記中央パネルの前記底縁の中央に位置している片面溶着部によって、取り付けられている、
請求項２記載のオストミー器具。
【請求項４】
実質的に突起無しの前記領域は、前記フィルターと前記片面溶着部との間に位置付けされている、
請求項３記載のオストミー器具。
【請求項５】
１つ以上の前記突起は、前記前パネルに向かって突出している、
請求項１記載のオストミー器具。
【請求項６】
前記中央パネルが、前記前パネルに向かって突出する１つ以上の突起を、備えており、前記前パネルが、前記中央パネルに向かって突出する１つ以上の突起を、備えている、
請求項１記載のオストミー器具。
【請求項７】
オストミー器具において、
ａ：前パネル及び後パネルと、
ｂ：身体老廃物からの悪臭ガスを脱臭するフィルターと、
ｃ：前記前パネルと前記後パネルとの間の中央パネルと、
を備えており、
前記前パネル及び前記後パネルは、少なくとも部分的に、それらの周縁に沿って、互いにシールされており、
前記前パネル及び前記後パネルは、パウチを形成しており、
前記後パネルは、ストーマを通って排出された身体老廃物が前記パウチで捕捉されるように、ストーマ周り位置決め用の瘻孔開口部を、有しており、
前記フィルターは、前記前パネルに位置しており、
前記フィルターは、脱臭された前記ガスを大気へ放出するための開口を、備えており、
前記中央パネルは、少なくとも部分的に前記フィルターを覆っており、
前記中央パネルは、底縁を有しており、
前記底縁は、前記前パネル及び前記後パネルの底縁の上方に位置付けされており、前記パウチの周縁に沿って前記前パネル及び前記後パネルに取り付けられており、
前記中央パネル及び前記前パネルは、前記中央パネルの前記底縁の中央に位置している片面溶着部によって取り付けられており、
前記中央パネルは、前記前パネルに向かって突出する１つ以上の突起を備えた領域と、実質的に突起無しの領域とを、備えており、実質的に突起無しの前記領域は、前記フィルターと前記片面溶着部との間に位置付けされている、
ことを特徴とするオストミー器具。
【請求項８】
前記中央パネルが、前記中央パネルの表面領域の少なくとも５０％を覆う１つ以上の突起を、備えている、
請求項１記載のオストミー器具。
【請求項９】
前記中央パネルが、前記中央パネルの表面領域の少なくとも６６％を覆う１つ以上の突起を、備えている、
請求項１記載のオストミー器具。
【請求項１０】
前記前パネルが、前記中央パネルに向かって突出する１つ以上の突起を、備えている、
請求項１記載のオストミー器具。
【請求項１１】
前記１つ以上の突起が、半球形状である、
請求項１記載のオストミー器具。
【請求項１２】
前記１つ以上の突起が、半卵形状である、
請求項１記載のオストミー器具。
【請求項１３】
前記１つ以上の突起が、多面体形状である、
請求項１記載のオストミー器具。
【請求項１４】
前記１つ以上の突起が、迷路パターンを形成している、
請求項１記載のオストミー器具。
【請求項１５】
前記１つ以上の突起が、四面体形状、五面体形状、又は六面体形状である、
請求項１３記載のオストミー器具。
【請求項１６】
前記１つ以上の突起が、三角形、菱形、正方形、長方形、五角形、六角形、七角形、又は八角形の、頂面を、有している、
請求項１５記載のオストミー器具。
【請求項１７】
前記１つ以上の突起が、２つ以上の突起であり、前記２つ以上の突起は、少なくとも２つの異なる形状である、
請求項１記載のオストミー器具。
【請求項１８】
前記１つ以上の突起が、２つ以上の突起であり、前記２つ以上の突起は、少なくとも２つの異なる大きさである、
請求項１記載のオストミー器具。
【請求項１９】
前記１つ以上の突起が、２つ以上の突起であり、前記２つ以上の突起は、縦列に配置されている、
請求項１記載のオストミー器具。
【請求項２０】
前記１つ以上の突起が、２つ以上の突起であり、前記２つ以上の突起は、横列に配置されている、
請求項１記載のオストミー器具。
【請求項２１】
前記フィルターが、丸型フィルター又はストリップフィルターである、
請求項１記載のオストミー器具。
【請求項２２】
前記フィルターが、径流フィルター又は軸流フィルターである、
請求項１記載のオストミー器具。
【請求項２３】
前記１つ以上の突起が、前記中央パネルと同じ材料でできている、
請求項１記載のオストミー器具。
【請求項２４】
前記１つ以上の突起が、前記中央パネルと一体に形成されている、
請求項１記載のオストミー器具。
【請求項２５】
前記パウチが、排水可能である、
請求項１記載のオストミー器具。
【請求項２６】
前記パウチが、閉鎖されている、
請求項１記載のオストミー器具。
【請求項２７】
前記中央パネル及び前記前パネルが、前記片面溶着部に加えて、前記中央パネルの前記底縁に位置している１つ以上の追加の溶着部によって、取り付けられている、
請求項３記載のオストミー器具。
【発明の詳細な説明】
【技術分野】
【０００１】
（相互参照）
本願は、その全体が本明細書に参考として組み込まれる２０１４年４月２４日に出願した米国仮特許出願番号６１／９８３，９９８の利益を主張する。
【背景技術】
【０００２】
オストミーパウチシステム又はオストミーバッグは、外科的に流用された生物学的システムから作られたストーマからの老廃物を集めるのに使用されるオストミー器具である。そのようなオストミーバッグは、一般に、結腸瘻造設術、回腸造瘻術、及び人工膀胱造設術に、関連している。消化中に生成されるガスは、気密性オストミーバッグを膨脹させて傷付ける。ガス管理及び臭い除去は、オストミーバッグ内に、ガスを換気するフィルターシステムを組み込むことによって、対処されて来た。パウチ内に堆積した老廃物による詰まりに耐性を示し、それによって、オストミーバッグの着用時間を改善する、フィルターシステムを、構成することが望まれている。
【発明の概要】
【０００３】
一態様としてここに開示されたオストミー器具は、前パネル及び後パネルを備えており、前記前パネル及び前記後パネルは、少なくとも部分的に、それらの周縁に沿って、互いにシールされており、前記前パネル及び前記後パネルは、パウチを形成しており、前記後パネルは、ストーマを通って排出された身体老廃物が前記パウチで捕捉されるように、ストーマ周り位置決め用の瘻孔開口部を、有しており、また、オストミー器具は、身体老廃物からの悪臭ガスを脱臭するフィルターを備えており、前記フィルターは、前記前パネルに位置しており、前記フィルターは、脱臭された前記ガスを大気へ放出するための開口を、備えており、更に、オストミー器具は、前記前パネルと前記後パネルとの間の中央パネルを備えており、前記中央パネルは、少なくとも部分的に前記フィルターを覆っており、前記中央パネルは、底縁を有しており、前記底縁は、前記前パネル及び前記後パネルの底縁の上方に位置付けされており、前記パウチの周縁に沿って前記前パネル及び前記後パネルに取り付けられており、そして、オストミー器具では、前記中央パネル及び前記前パネルの少なくとも一方が、１つ以上の突起を備えている。幾つかの実施形態では、前記中央パネル及び前記前パネルが、部分的に互いに取り付けられている。別の実施形態では、前記中央パネル及び前記前パネルが、前記中央パネルの前記底縁の中央に位置している片面溶着部によって、取り付けられている。更に別の実施形態では、前記中央パネル及び前記前パネルが、前記フィルターと前記片面溶着部との間に位置付けされた突起無し部分を、有している。
【０００４】
幾つかの実施形態では、前記中央パネルが、前記前パネルに向かって突出する１つ以上の突起を、備えている。幾つかの実施形態では、前記中央パネルが、前記前パネルに向かって突出する１つ以上の突起を、備えており、前記前パネルが、前記中央パネルに向かって突出する１つ以上の突起を、備えている。幾つかの実施形態では、前記前パネルが、前記中央パネルに向かって突出する１つ以上の突起を、備えている。
【０００５】
別の態様としてここに開示されたオストミー器具は、前パネル及び後パネルを備えており、前記前パネル及び前記後パネルは、少なくとも部分的に、それらの周縁に沿って、互いにシールされており、前記前パネル及び前記後パネルは、パウチを形成しており、前記後パネルは、ストーマを通って排出された身体老廃物が前記パウチで捕捉されるように、ストーマ周り位置決め用の瘻孔開口部を、有しており、また、オストミー器具は、身体老廃物からの悪臭ガスを脱臭するフィルターを備えており、前記フィルターは、前記前パネルに位置しており、前記フィルターは、脱臭された前記ガスを大気へ放出するための開口を、備えており、更に、オストミー器具は、前記前パネルと前記後パネルとの間の中央パネルを備えており、前記中央パネルは、少なくとも部分的に前記フィルターを覆っており、前記中央パネルは、底縁を有しており、前記底縁は、前記前パネル及び前記後パネルの底縁の上方に位置付けされており、前記パウチの周縁に沿って前記前パネル及び前記後パネルに取り付けられており、前記中央パネル及び前記前パネルは、前記中央パネルの前記底縁の中央に位置している片面溶着部によって取り付けられており、そして、オストミー器具では、前記中央パネルが、前記前パネルに向かって突出する１つ以上の突起を、備えている。
【０００６】
別の態様としてここに開示されたオストミー器具は、前パネル及び後パネルを備えており、前記前パネル及び前記後パネルは、少なくとも部分的に、それらの周縁に沿って、互いにシールされており、前記前パネル及び前記後パネルは、パウチを形成しており、前記後パネルは、ストーマを通って排出された身体老廃物が前記パウチで捕捉されるように、ストーマ周り位置決め用の瘻孔開口部を、有しており、また、オストミー器具は、身体老廃物からの悪臭ガスを脱臭するフィルターを備えており、前記フィルターは、前記前パネルに位置しており、前記フィルターは、脱臭された前記ガスを大気へ放出するための開口を、備えており、更に、オストミー器具は、前記前パネルと前記後パネルとの間の中央パネルを備えており、前記中央パネルは、少なくとも部分的に前記フィルターを覆っており、前記中央パネルは、底縁を有しており、前記底縁は、前記前パネル及び前記後パネルの底縁の上方に位置付けされており、前記パウチの周縁に沿って前記前パネル及び前記後パネルに取り付けられており、前記中央パネル及び前記前パネルは、前記中央パネルの前記底縁の中央に位置している片面溶着部によって取り付けられており、そして、オストミー器具では、前記中央パネルが、前記前パネルに向かって突出する１つ以上の突起を、備えており、前記中央パネル及び前記前パネルが、前記フィルターと前記片面溶着部との間に位置付けされた実質的な突起無し部分を、有している。
【０００７】
幾つかの実施形態では、前記中央パネルが、前記中央パネルの表面領域の少なくとも５０％を覆う１つ以上の突起を、備えている。幾つかの実施形態では、前記中央パネルが、前記中央パネルの表面領域の少なくとも６６％を覆う１つ以上の突起を、備えている。幾つかの実施形態では、前記中央パネルが、前記中央パネルの表面領域の全てを覆う１つ以上の突起を、備えている。
【０００８】
幾つかの実施形態では、前記１つ以上の突起が、半球形状である。幾つかの実施形態では、前記１つ以上の突起が、半卵形状である。幾つかの実施形態では、前記１つ以上の突起が、多面体形状である。別の実施形態では、前記１つ以上の突起が、四面体形状、五面体形状、又は六面体形状である。更に別の実施形態では、前記１つ以上の突起が、三角形、菱形、正方形、長方形、五角形、六角形、七角形、又は八角形の、頂面を、有している。幾つかの実施形態では、前記１つ以上の突起が、迷路パターンを形成している。幾つかの実施形態では、前記１つ以上の突起の各々が、少なくとも２つの異なる形状の内の一つである。幾つかの実施形態では、前記１つ以上の突起の各々が、少なくとも２つの異なる大きさの内の一つである。幾つかの実施形態では、前記１つ以上の突起が、縦列に配置されている。幾つかの実施形態では、前記１つ以上の突起が、横列に配置されている。
【０００９】
幾つかの実施形態では、前記１つ以上の突起が、前記中央パネルと同じ材料でできている。幾つかの実施形態では、前記１つ以上の突起が、前記中央パネルと一体に形成されている。
【００１０】
幾つかの実施形態では、前記フィルターが、丸型フィルター(round filter)又はストリップフィルター(strip filter)である。幾つかの実施形態では、前記フィルターが、径流フィルター(radial flow filter)又は軸流フィルター(axial flow filter)である。
【００１１】
幾つかの実施形態では、前記パウチが、排水可能である。幾つかの実施形態では、前記パウチが、閉鎖されている。
【００１２】
幾つかの実施形態では、前記中央パネル及び前記前パネルが、前記中央パネルの前記底縁に位置している１つ以上の溶着部によって、取り付けられている。
【図面の簡単な説明】
【００１３】
【図１】本発明の第１実施形態のオストミー器具の背面図である。
【図２】図１のオストミー器具の正面図であり、明確性のためにストーマフランジを省いている。
【図３】図２のオストミー器具の第１の別の実施形態の正面図であり、明確性のためにストーマフランジを省いている。この第１の別の実施形態は、２つの追加の短い溶着部が特徴であり、各溶着部は、中央に位置している長い溶着部とオストミー器具の周縁との間に、位置している。
【図４】図１のオストミー器具の第２の別の実施形態のＡ−Ａ断面図である。この第２の別の実施形態は、図１のオストミー器具に示された突起よりも、より少なく且つ大きな半球状の突起を、特徴としている。第２の別の実施形態の突起は、崩壊性ではなく、前パネルに向かって完全に突出している。
【図５】図１のオストミー器具の第２の別の実施形態のＣ−Ｃ断面図である。この第２の別の実施形態は、図３にも示されている。
【図６】本発明の第２実施形態のオストミー器具の正面図である。
【図７】本発明の第３実施形態のオストミー器具の正面図である。
【図８】本発明の第４実施形態のオストミー器具の正面図である。
【図９】本発明の第５実施形態のオストミー器具の正面図である。
【図１０】本発明の第６実施形態のオストミー器具の正面図である。
【図１１】詰まるまでの時間で定義された、また、傾斜台でテストされた、種々のテストオストミー器具のフィルター寿命を示すグラフである。
【発明を実施するための形態】
【００１４】
オストミーパウチフィルターは、短い時間、通常は、２、３時間から２日間まで、機能する。これらのフィルターは、膨脹、不十分な脱臭、又は漏れに至る、及び、パウチ自体の全体として低減された着用時間をもたらす、詰まり(clogging)によって、機能しなくなる。詰まりは、フィルターシステムが排泄物で詰まったり塞がれたりするので、起こる。結果として、パウチは、もはや適切に放出せず、パウチの膨脹、又は、脱臭されないで漏れるガスの継続的流れを、引き起こす。更に、フィルター放出口からパウチ外へ排泄物の漏れも起こり得る。
【００１５】
ここでは、オストミー器具において使用されるオストミーパウチフィルターシステムを、提供する。ここで述べられるオストミーパウチフィルターシステムは、オストミーパウチ内の老廃物によるフィルターの詰まりに耐えるための方法を、提供する。ここで述べられるオストミーパウチフィルターシステムの構成は、ガスが自由にフィルターへ移動するのを許容しながら、システムに入る老廃物の蛇行路(tortuous path)を提供する。
【００１６】
（フィルターシステム付オストミー器具）
ある実施形態では、糞便や尿廃液を管理するオストミー器具が、開示されている。幾つかの実施形態では、オストミー器具は、前パネル及び後パネルを備えており、前パネル及び後パネルは、少なくとも部分的に、それらの周縁に沿って、互いにシールされており、前パネル及び後パネルは、パウチを形成しており、後パネルは、ストーマを通って排出された身体老廃物がパウチで捕捉されるように、ストーマ周り位置決め用の瘻孔開口部を、有しており、また、オストミー器具は、身体老廃物からの悪臭ガスを脱臭するフィルターを備えており、フィルターは、前パネルに位置しており、フィルターは、脱臭されたガスを大気へ放出するための開口を、備えており、更に、オストミー器具は、前パネルと後パネルとの間の中央パネルを備えており、中央パネルは、少なくとも部分的にフィルターを覆っており、中央パネルは、底縁を有しており、該底縁は、前パネル及び後パネルの底縁の上方に位置付けされており、パウチの周縁に沿って前パネル及び後パネルに取り付けられており、そして、オストミー器具では、中央パネル及び前パネルの少なくとも一方が、１つ以上の突起を備えている。別の実施形態では、中央パネル及び前パネルが、部分的に互いに取り付けられている。更に別の実施形態では、中央パネル及び前パネルが、中央パネルの底縁の中央に位置している片面溶着部によって、取り付けられている。更に別の実施形態では、中央パネル及び前パネルが、フィルターと片面溶着部との間に位置付けされた突起無し部分を、有している。更に別の実施形態では、中央パネル及び前パネルが、フィルターと片面溶着部との間に位置付けされた実質的な突起無し部分を、有している。
【００１７】
幾つかの実施形態では、オストミー器具は、前パネル及び後パネルを備えており、前パネル及び後パネルは、少なくとも部分的に、それらの周縁に沿って、互いにシールされており、前パネル及び後パネルは、パウチを形成しており、後パネルは、ストーマを通って排出された身体老廃物がパウチで捕捉されるように、ストーマ周り位置決め用の瘻孔開口部を、有しており、また、オストミー器具は、身体老廃物からの悪臭ガスを脱臭するフィルターを備えており、フィルターは、前パネルに位置しており、フィルターは、脱臭されたガスを大気へ放出するための開口を、備えており、更に、オストミー器具は、前パネルと後パネルとの間の中央パネルを備えており、中央パネルは、少なくとも部分的にフィルターを覆っており、中央パネルは、底縁を有しており、該底縁は、前パネル及び後パネルの底縁の上方に位置付けされており、パウチの周縁に沿って前パネル及び後パネルに取り付けられており、そして、オストミー器具では、中央パネルが、前パネルに向かって突出する１つ以上の突起を、備えている。別の実施形態では、中央パネル及び前パネルが、部分的に互いに取り付けられている。更に別の実施形態では、中央パネル及び前パネルが、中央パネルの底縁の中央に位置している片面溶着部によって、取り付けられている。更に別の実施形態では、中央パネル及び前パネルが、フィルターと片面溶着部との間に位置付けされた突起無し部分を、有している。更に別の実施形態では、中央パネル及び前パネルが、フィルターと片面溶着部との間に位置付けされた実質的な突起無し部分を、有している。
【００１８】
幾つかの実施形態では、オストミー器具は、前パネル及び後パネルを備えており、前パネル及び後パネルは、少なくとも部分的に、それらの周縁に沿って、互いにシールされており、前パネル及び後パネルは、パウチを形成しており、後パネルは、ストーマを通って排出された身体老廃物がパウチで捕捉されるように、ストーマ周り位置決め用の瘻孔開口部を、有しており、また、オストミー器具は、身体老廃物からの悪臭ガスを脱臭するフィルターを備えており、フィルターは、前パネルに位置しており、フィルターは、脱臭されたガスを大気へ放出するための開口を、備えており、更に、オストミー器具は、前パネルと後パネルとの間の中央パネルを備えており、中央パネルは、少なくとも部分的にフィルターを覆っており、中央パネルは、底縁を有しており、該底縁は、前パネル及び後パネルの底縁の上方に位置付けされており、パウチの周縁に沿って前パネル及び後パネルに取り付けられており、そして、オストミー器具では、前パネルが、中央パネルに向かって突出する１つ以上の突起を、備えている。別の実施形態では、中央パネル及び前パネルが、部分的に互いに取り付けられている。更に別の実施形態では、中央パネル及び前パネルが、中央パネルの底縁の中央に位置している片面溶着部によって、取り付けられている。更に別の実施形態では、中央パネル及び前パネルが、フィルターと片面溶着部との間に位置付けされた突起無し部分を、有している。更に別の実施形態では、中央パネル及び前パネルが、フィルターと片面溶着部との間に位置付けされた実質的な突起無し部分を、有している。
【００１９】
幾つかの実施形態では、オストミー器具は、前パネル及び後パネルを備えており、前パネル及び後パネルは、少なくとも部分的に、それらの周縁に沿って、互いにシールされており、前パネル及び後パネルは、パウチを形成しており、後パネルは、ストーマを通って排出された身体老廃物がパウチで捕捉されるように、ストーマ周り位置決め用の瘻孔開口部を、有しており、また、オストミー器具は、身体老廃物からの悪臭ガスを脱臭するフィルターを備えており、フィルターは、前パネルに位置しており、フィルターは、脱臭されたガスを大気へ放出するための開口を、備えており、更に、オストミー器具は、前パネルと後パネルとの間の中央パネルを備えており、中央パネルは、少なくとも部分的にフィルターを覆っており、中央パネルは、底縁を有しており、該底縁は、前パネル及び後パネルの底縁の上方に位置付けされており、パウチの周縁に沿って前パネル及び後パネルに取り付けられており、そして、オストミー器具では、中央パネルが、前パネルに向かって突出する１つ以上の突起を備えており、前パネルが、中央パネルに向かって突出する１つ以上の突起を備えている。別の実施形態では、中央パネル及び前パネルが、部分的に互いに取り付けられている。更に別の実施形態では、中央パネル及び前パネルが、中央パネルの底縁の中央に位置している片面溶着部によって、取り付けられている。更に別の実施形態では、中央パネル及び前パネルが、フィルターと片面溶着部との間に位置付けされた突起無し部分を、有している。更に別の実施形態では、中央パネル及び前パネルが、フィルターと片面溶着部との間に位置付けされた実質的な突起無し部分を、有している。
【００２０】
幾つかの実施形態では、中央パネルは、中央パネルの表面領域の２０〜５０％を覆う多数の突起を、備えている。幾つかの実施形態では、中央パネルは、中央パネルの表面領域の３０〜６０％を覆う多数の突起を、備えている。幾つかの実施形態では、中央パネルは、中央パネルの表面領域の４０〜７０％を覆う多数の突起を、備えている。幾つかの実施形態では、中央パネルは、中央パネルの表面領域の５０〜８０％を覆う多数の突起を、備えている。幾つかの実施形態では、中央パネルは、中央パネルの表面領域の７５〜９０％を覆う多数の突起を、備えている。幾つかの実施形態では、中央パネルは、中央パネルの表面領域の少なくとも５０％を覆う多数の突起を、備えている。幾つかの実施形態では、中央パネルは、中央パネルの表面領域の少なくとも６６％を覆う多数の突起を、備えている。幾つかの実施形態では、中央パネルは、中央パネルの表面領域の少なくとも８０％を覆う多数の突起を、備えている。幾つかの実施形態では、中央パネルは、中央パネルの表面領域の全体を覆う多数の突起を、備えている。
【００２１】
幾つかの実施形態では、前パネルは、前パネルの表面領域の２０〜５０％を覆う多数の突起を、備えている。幾つかの実施形態では、前パネルは、前パネルの表面領域の３０〜６０％を覆う多数の突起を、備えている。幾つかの実施形態では、前パネルは、前パネルの表面領域の４０〜７０％を覆う多数の突起を、備えている。幾つかの実施形態では、前パネルは、前パネルの表面領域の５０〜８０％を覆う多数の突起を、備えている。幾つかの実施形態では、前パネルは、前パネルの表面領域の７５〜９０％を覆う多数の突起を、備えている。幾つかの実施形態では、前パネルは、前パネルの表面領域の少なくとも５０％を覆う多数の突起を、備えている。幾つかの実施形態では、前パネルは、前パネルの表面領域の少なくとも６６％を覆う多数の突起を、備えている。幾つかの実施形態では、前パネルは、前パネルの表面領域の少なくとも８０％を覆う多数の突起を、備えている。幾つかの実施形態では、前パネルは、前パネルの表面領域の全体を覆う多数の突起を、備えている。
【００２２】
幾つかの実施形態では、中央パネル及び前パネルの各々は、中央パネル及び前パネルの各々の表面領域の２０〜５０％を覆う多数の突起を、備えている。幾つかの実施形態では、中央パネル及び前パネルの各々は、中央パネル及び前パネルの各々の表面領域の３０〜６０％を覆う多数の突起を、備えている。幾つかの実施形態では、中央パネル及び前パネルの各々は、中央パネル及び前パネルの各々の表面領域の４０〜７０％を覆う多数の突起を、備えている。幾つかの実施形態では、中央パネル及び前パネルの各々は、中央パネル及び前パネルの各々の表面領域の５０〜８０％を覆う多数の突起を、備えている。幾つかの実施形態では、中央パネル及び前パネルの各々は、中央パネル及び前パネルの各々の表面領域の７５〜９０％を覆う多数の突起を、備えている。幾つかの実施形態では、中央パネル及び前パネルの各々は、中央パネル及び前パネルの各々の表面領域の少なくとも５０％を覆う多数の突起を、備えている。幾つかの実施形態では、中央パネル及び前パネルの各々は、中央パネル及び前パネルの各々の表面領域の少なくとも６６％を覆う多数の突起を、備えている。幾つかの実施形態では、中央パネル及び前パネルの各々は、中央パネル及び前パネルの各々の表面領域の少なくとも８０％を覆う多数の突起を、備えている。幾つかの実施形態では、中央パネル及び前パネルの各々は、中央パネル及び前パネルの各々の表面領域の全体を覆う多数の突起を、備えている。
【００２３】
上述及び後述の幾つかの実施形態では、フィルターと片面溶着部との間に位置付けされている実質的な突起無し部分は、突起で覆われた部分の２０％以下である。上述及び後述の幾つかの実施形態では、フィルターと片面溶着部との間に位置付けされている実質的な突起無し部分は、突起で覆われた部分の１５％以下である。上述及び後述の幾つかの実施形態では、フィルターと片面溶着部との間に位置付けされている実質的な突起無し部分は、突起で覆われた部分の１０％以下である。上述及び後述の幾つかの実施形態では、フィルターと片面溶着部との間に位置付けされている実質的な突起無し部分は、突起で覆われた部分の５％以下である。
【００２４】
幾つかの実施形態では、前記１つ以上の突起は、半球形状、半卵形状、又は多面体形状、又はそれらの組み合わせである。幾つかの実施形態では、前記１つ以上の突起は、半球形状である。幾つかの実施形態では、前記１つ以上の突起は、半卵形状である。幾つかの実施形態では、前記１つ以上の突起は、多面体形状である。幾つかの実施形態では、前記１つ以上の突起は、四面体形状である。幾つかの実施形態では、前記１つ以上の突起は、五面体形状である。幾つかの実施形態では、前記１つ以上の突起は、六面体形状である。幾つかの実施形態では、前記１つ以上の突起は、中央パネル又は前パネルのいずれかに向かって突出した多角形の頂面を、有している。幾つかの実施形態では、前記１つ以上の突起は、菱形の頂面を、有している。幾つかの実施形態では、前記１つ以上の突起は、三角形の頂面を、有している。幾つかの実施形態では、前記１つ以上の突起は、正方形の頂面を、有している。幾つかの実施形態では、前記１つ以上の突起は、長方形の頂面を、有している。幾つかの実施形態では、前記１つ以上の突起は、五角形の頂面を、有している。幾つかの実施形態では、前記１つ以上の突起は、六角形の頂面を、有している。幾つかの実施形態では、前記１つ以上の突起は、七角形の頂面を、有している。幾つかの実施形態では、前記１つ以上の突起は、八角形の頂面を、有している。幾つかの実施形態では、前記１つ以上の突起は、少なくとも２つの形状を、混じり合って有している。幾つかの実施形態では、前記１つ以上の突起は、迷路パターンを形成している。幾つかの実施形態では、前記１つ以上の突起は、中央パネル及び前パネルの突起無し部分の境界に沿って、切頂半球形状、切頂半卵形状、又は切頂多面体形状である。幾つかの実施形態では、前記１つ以上の突起は、均一な大きさである。別の実施形態では、前記１つ以上の突起は、大きさがまちまちである。幾つかの実施形態では、前記１つ以上の突起は、大きさ及び形状がまちまちである。
【００２５】
幾つかの実施形態では、前記１つ以上の突起は、中央パネルと同じ材料でできている。幾つかの実施形態では、前記１つ以上の突起は、中央パネルと同じ材料で作ることができ、例えば熱成形によって形作ることができる。幾つかの実施形態では、中央パネルは、熱可塑性フィルムでできている。熱可塑性フィルムは、単分子層タイプ又は共押出タイプでよい。幾つかの実施形態では、前記１つ以上の突起は、中央パネルと一体に形成されている。幾つかの実施形態では、前記１つ以上の突起は、中央パネルとは異なる材料でできており、単一品形成のために中央パネルの残部と結合している。幾つかの実施形態では、突起の材料は、中央パネルの残部の材料と同じ濃さ(thickness)を有している。別の実施形態では、突起の材料は、中央パネルの残部の材料より大きな濃さを有している。更に別の実施形態では、中央パネルの残部の材料は、突起の材料より大きな濃さを有している。
【００２６】
幾つかの実施形態では、前記１つ以上の突起は、前パネルと同じ材料でできている。幾つかの実施形態では、前記１つ以上の突起は、前パネルと同じ材料で作ることができ、例えば熱成形によって形作ることができる。幾つかの実施形態では、前パネルは、熱可塑性フィルムでできている。熱可塑性フィルムは、単分子層タイプ又は共押出タイプでよい。幾つかの実施形態では、前記１つ以上の突起は、前パネルと一体に形成されている。幾つかの実施形態では、前記１つ以上の突起は、前パネルとは異なる材料でできており、単一品形成のために前パネルの残部と結合している。幾つかの実施形態では、突起の材料は、前パネルの残部の材料と同じ濃さ(thickness)を有している。別の実施形態では、突起の材料は、前パネルの残部の材料より大きな濃さを有している。更に別の実施形態では、前パネルの残部の材料は、突起の材料より大きな濃さを有している。
【００２７】
幾つかの実施形態では、中央パネルの突起の少なくとも５％が、前パネルに向かって完全には突出しないように、崩壊性である。幾つかの実施形態では、中央パネルの突起の少なくとも１０％が、前パネルに向かって完全には突出しないように、崩壊性である。幾つかの実施形態では、中央パネルの突起の少なくとも２０％が、前パネルに向かって完全には突出しないように、崩壊性である。幾つかの実施形態では、中央パネルの突起の少なくとも３０％が、前パネルに向かって完全には突出しないように、崩壊性である。幾つかの実施形態では、中央パネルの突起の少なくとも４０％が、前パネルに向かって完全には突出しないように、崩壊性である。幾つかの実施形態では、中央パネルの突起の少なくとも５０％が、前パネルに向かって完全には突出しないように、崩壊性である。幾つかの実施形態では、中央パネルの突起の少なくとも６０％が、前パネルに向かって完全には突出しないように、崩壊性である。幾つかの実施形態では、中央パネルの突起の少なくとも７０％が、前パネルに向かって完全には突出しないように、崩壊性である。幾つかの実施形態では、中央パネルの突起の少なくとも８０％が、前パネルに向かって完全には突出しないように、崩壊性である。幾つかの実施形態では、中央パネルの突起の少なくとも９０％が、前パネルに向かって完全には突出しないように、崩壊性である。幾つかの実施形態では、中央パネルの突起の２０％以下が、前パネルに向かって完全には突出しないように、崩壊性である。幾つかの実施形態では、中央パネルの突起の１０％以下が、前パネルに向かって完全には突出しないように、崩壊性である。
【００２８】
幾つかの実施形態では、前パネルの突起の少なくとも５％が、中央パネルに向かって完全には突出しないように、崩壊性である。幾つかの実施形態では、前パネルの突起の少なくとも１０％が、中央パネルに向かって完全には突出しないように、崩壊性である。幾つかの実施形態では、前パネルの突起の少なくとも２０％が、中央パネルに向かって完全には突出しないように、崩壊性である。幾つかの実施形態では、前パネルの突起の少なくとも３０％が、中央パネルに向かって完全には突出しないように、崩壊性である。幾つかの実施形態では、前パネルの突起の少なくとも４０％が、中央パネルに向かって完全には突出しないように、崩壊性である。幾つかの実施形態では、前パネルの突起の少なくとも５０％が、中央パネルに向かって完全には突出しないように、崩壊性である。幾つかの実施形態では、前パネルの突起の少なくとも６０％が、中央パネルに向かって完全には突出しないように、崩壊性である。幾つかの実施形態では、前パネルの突起の少なくとも７０％が、中央パネルに向かって完全には突出しないように、崩壊性である。幾つかの実施形態では、前パネルの突起の少なくとも８０％が、中央パネルに向かって完全には突出しないように、崩壊性である。幾つかの実施形態では、前パネルの突起の少なくとも９０％が、中央パネルに向かって完全には突出しないように、崩壊性である。幾つかの実施形態では、前パネルの突起の２０％以下が、中央パネルに向かって完全には突出しないように、崩壊性である。幾つかの実施形態では、前パネルの突起の１０％以下が、中央パネルに向かって完全には突出しないように、崩壊性である。
【００２９】
幾つかの実施形態では、突起の高さは、０．５ｍｍ〜５．０ｍｍである。幾つかの実施形態では、突起の高さは、１．０ｍｍ〜５．０ｍｍである。幾つかの実施形態では、突起の高さは、０．５ｍｍ〜４．０ｍｍである。幾つかの実施形態では、突起の高さは、２．０ｍｍ〜４．０ｍｍである。幾つかの実施形態では、突起の高さは、０．５ｍｍ〜３．５ｍｍである。幾つかの実施形態では、突起の高さは、１．０ｍｍ〜３．５ｍｍである。幾つかの実施形態では、突起の高さは、１．５ｍｍ〜３．５ｍｍである。幾つかの実施形態では、突起の高さは、０．５ｍｍ〜３．０ｍｍである。幾つかの実施形態では、突起の高さは、１．０ｍｍ〜３．０ｍｍである。幾つかの実施形態では、突起の高さは、１．６ｍｍ〜３．０ｍｍである。幾つかの実施形態では、突起の高さは、１．７ｍｍ〜３．０ｍｍである。幾つかの実施形態では、突起の高さは、１．８ｍｍ〜３．０ｍｍである。幾つかの実施形態では、突起の高さは、１．９ｍｍ〜３．０ｍｍである。幾つかの実施形態では、突起の高さは、２．０ｍｍ〜３．０ｍｍである。
【００３０】
幾つかの実施形態では、突起の平均幅は、０．５ｍｍ〜１０．０ｍｍである。幾つかの実施形態では、突起の平均幅は、０．５ｍｍ〜８．０ｍｍである。幾つかの実施形態では、突起の平均幅は、０．５ｍｍ〜５．０ｍｍである。幾つかの実施形態では、突起の平均幅は、０．５ｍｍ〜４．０ｍｍである。幾つかの実施形態では、突起の平均幅は、０．５ｍｍ〜３．０ｍｍである。幾つかの実施形態では、突起の平均幅は、１．０ｍｍ〜１０．０ｍｍである。幾つかの実施形態では、突起の平均幅は、１．０ｍｍ〜８．０ｍｍである。幾つかの実施形態では、突起の平均幅は、１．０ｍｍ〜５．０ｍｍである。幾つかの実施形態では、突起の平均幅は、１．０ｍｍ〜４．０ｍｍである。幾つかの実施形態では、突起の平均幅は、１．０ｍｍ〜３．０ｍｍである。幾つかの実施形態では、突起の平均幅は、２．０ｍｍ〜１０．０ｍｍである。幾つかの実施形態では、突起の平均幅は、２．０ｍｍ〜９．０ｍｍである。幾つかの実施形態では、突起の平均幅は、２．０ｍｍ〜８．０ｍｍである。幾つかの実施形態では、突起の平均幅は、３．０ｍｍ〜９ｍｍである。幾つかの実施形態では、突起の平均幅は、３．０ｍｍ〜８ｍｍである。幾つかの実施形態では、突起の平均幅は、４．０ｍｍ〜１０．０ｍｍである。幾つかの実施形態では、突起の平均幅は、４．０ｍｍ〜９．０ｍｍである。幾つかの実施形態では、突起の平均幅は、４．０ｍｍ〜８．０ｍｍである。幾つかの実施形態では、突起の平均幅は、１．０ｍｍである。幾つかの実施形態では、突起の平均幅は、２．０ｍｍである。幾つかの実施形態では、突起の平均幅は、３．０ｍｍである。幾つかの実施形態では、突起の平均幅は、４．０ｍｍである。幾つかの実施形態では、突起の平均幅は、５．０ｍｍである。幾つかの実施形態では、突起の平均幅は、６．０ｍｍである。幾つかの実施形態では、突起の平均幅は、７．０ｍｍである。幾つかの実施形態では、突起の平均幅は、８．０ｍｍである。
【００３１】
幾つかの実施形態では、突起は、縦列に配置されている。別の実施形態では、隣接する縦列は、互いに対してずれている。幾つかの実施形態では、突起は、横列に配置されている。別の実施形態では、隣接する横列は、互いに対してずれている。
【００３２】
種々の実施形態では、突起間の間隔は、１．０、２．０、３．０、４．０、５．０、６．０、７．０、８．０、９．０、１０．０、１１．０、１２．０、１３．０、１４．０、１５．０、１６．０、１７．０、１８．０、１９．０、２０．０ｍｍ、又はそれ以上であり、その中にはインクリメント(increments)を含み、また、それらの組み合わせを含む。幾つかの実施形態では、突起間の間隔は、２．０ｍｍ〜５．０ｍｍである。幾つかの実施形態では、突起間の間隔は、２．０ｍｍ〜１０．０ｍｍである。幾つかの実施形態では、突起間の間隔は、３．０ｍｍ〜６．０ｍｍである。幾つかの実施形態では、突起間の間隔は、３．０ｍｍ〜１０．０ｍｍである。幾つかの実施形態では、突起間の間隔は、４．０ｍｍ〜８．０ｍｍである。幾つかの実施形態では、突起間の間隔は、４．０ｍｍ〜１０．０ｍｍである。幾つかの実施形態では、突起間の間隔は、５．０ｍｍ〜１０．０ｍｍである。幾つかの実施形態では、突起間の間隔は、３．０ｍｍ〜４．０ｍｍである。
【００３３】
中央パネルは、ストーマから放出された老廃物にフィルターが直接に晒されるのを防ぐことができる。幾つかの実施形態では、中央パネルの底縁は、水平なパウチ中心線の下方に位置している。幾つかの実施形態では、中央パネルの底縁は、水平なパウチ中心線の上方に位置している。更に別の実施形態では、中央パネルの底縁は、水平なパウチ中心線に沿って位置している。別の実施形態では、中央パネルの底縁は、中央パネルが瘻孔開口部を完全に覆うように、瘻孔開口部の下方にある。別の実施形態では、中央パネルは、瘻孔開口部を部分的にのみ覆う。幾つかの実施形態では、中央パネルの底縁は、中央パネルが瘻孔開口部を完全に覆うように瘻孔開口部の下方にあり、水平なパウチ中心線の上方に位置している。
【００３４】
幾つかの実施形態では、中央パネル及び前パネルは、中央パネルの底縁に位置している片面溶着部によって、取り付けられている。幾つかの実施形態では、片面溶着部は、瘻孔開口部の直径より長さが短い。別の実施形態では、片面溶着部は、瘻孔開口部の直径より長さが長い。更に別の実施形態では、片面溶着部は、瘻孔開口部と同じ長さである。幾つかの実施形態では、片面溶着部は、フィルター長さ又はフィルターの直径より長さが短い。別の実施形態では、片面溶着部は、フィルター長さ又はフィルターの直径より長さが長い。更に別の実施形態では、片面溶着部は、フィルター長さ又はフィルターの直径と同じ長さである。幾つかの実施形態では、片面溶着部は、フィルター長さ又はフィルターの直径より長いが、瘻孔開口部の直径より短い。別の実施形態では、片面溶着部は、フィルター長さ又はフィルターの直径より長さが短く、瘻孔開口部の直径より長さが短い。更に別の実施形態では、片面溶着部は、フィルター長さ又はフィルターの直径より長く、瘻孔開口部の直径より長い。
【００３５】
幾つかの実施形態では、垂直な片面溶着部中心線は、垂直なパウチ中心線に沿って位置している。別の実施形態では、垂直な片面溶着部中心線は、垂直なパウチ中心線からずれている。
【００３６】
幾つかの実施形態では、中央パネル及び前パネルは、中央パネルの底縁に位置している２つ以上の溶着部によって取り付けられている。幾つかの実施形態では、２つ以上の溶着部は、垂直なパウチ中心線の３０ｍｍ以内に位置付けされている。幾つかの実施形態では、２つ以上の溶着部は、垂直なパウチ中心線の４０ｍｍ以内に位置付けされている。幾つかの実施形態では、２つ以上の溶着部は、垂直なパウチ中心線の５０ｍｍ以内に位置付けされている。幾つかの実施形態では、第１溶着部は、中央パネルの底縁の中央に位置しており、１つ以上の追加の溶着部は、第１溶着部とパウチの周縁との間の中央パネルの底縁に位置している。別の実施形態では、１つ以上の追加の溶着部は、第１溶着部より長さが短い。幾つかの実施形態では、第１溶着部は、長さが約１０〜５０ｍｍであり、１つ以上の追加の溶着部の各々は、長さが約２〜１０ｍｍである。幾つかの実施形態では、第１溶着部は、長さが５０ｍｍであり、１つ以上の追加の溶着部の各々は、長さが約２〜６ｍｍである。
【００３７】
幾つかの実施形態では、フィルターは、丸型フィルター又はストリップフィルターである。幾つかの実施形態では、フィルターは、丸型フィルターである。幾つかの実施形態では、フィルターは、ストリップフィルターである。幾つかの実施形態では、フィルターは、径流フィルター又は軸流フィルターである。幾つかの実施形態では、フィルターは、径流フィルターである。幾つかの実施形態では、フィルターは、軸流フィルターである。
【００３８】
幾つかの実施形態では、フィルターは、瘻孔開口部に重なることなく、瘻孔開口部の上方に位置している。別の実施形態では、フィルターは、瘻孔開口部に部分的に重なって、瘻孔開口部の上方に位置している。更に別の実施形態では、フィルター及び瘻孔開口部は、両者が完全に重なるように位置付けされている。
【００３９】
幾つかの実施形態では、垂直なフィルター中心線は、垂直なパウチ中心線に沿って位置している。幾つかの実施形態では、垂直なフィルター中心線及び垂直な瘻孔開口部中心線は、垂直なパウチ中心線に沿って位置している。別の実施形態では、垂直なフィルター中心線は、垂直なパウチ中心線に対してずれている。幾つかの実施形態では、フィルター及び瘻孔開口部の垂直な中心線は、互いに沿って位置しているが、垂直なパウチ中心線に対してずれている。幾つかの実施形態では、フィルター、瘻孔開口部、及び片面溶着部の、垂直な中心線は、垂直なパウチ中心線に沿って位置している。
【００４０】
幾つかの実施形態では、中央パネル及び前パネルは、フィルターと片面溶着部との間に位置付けされた突起無し部分を有しており、その結果、瘻孔開口部を通して露出している中央パネルの突起無し部分は、突起を欠いている。幾つかの実施形態では、中央パネル及び前パネルは、フィルターと片面溶着部との間に位置付けされた突起無し部分を有しており、その結果、瘻孔開口部を通して露出している部分の表面領域の５０％以下は、突起によって覆われている。幾つかの実施形態では、中央パネル及び前パネルは、フィルターと片面溶着部との間に位置付けされた突起無し部分を有しており、その結果、瘻孔開口部を通して露出している部分の表面領域の４０％以下は、突起によって覆われている。幾つかの実施形態では、中央パネル及び前パネルは、フィルターと片面溶着部との間に位置付けされた突起無し部分を有しており、その結果、瘻孔開口部を通して露出している部分の表面領域の３０％以下は、突起によって覆われている。幾つかの実施形態では、中央パネル及び前パネルは、フィルターと片面溶着部との間に位置付けされた突起無し部分を有しており、その結果、瘻孔開口部を通して露出している部分の表面領域の２０％以下は、突起によって覆われている。幾つかの実施形態では、中央パネル及び前パネルは、フィルターと片面溶着部との間に位置付けされた突起無し部分を有しており、その結果、瘻孔開口部を通して露出している部分の表面領域の１０％以下は、突起によって覆われている。幾つかの実施形態では、中央パネル及び前パネルは、フィルターと片面溶着部との間に位置付けされた突起無し部分を有しており、その結果、瘻孔開口部を通して露出している部分の表面領域の５％以下は、突起によって覆われている。
【００４１】
幾つかの実施形態では、パウチが、排水可能である。幾つかの実施形態では、パウチが、閉鎖されている。
【００４２】
図１、図２は、第１実施形態のオストミーパウチフィルターシステムを備えたオストミー器具１０を、示している。オストミー器具は、前パネル１１、後パネル１２、及び中央パネル１３を、備えている。前パネル１１及び後パネル１２は、それらの各底縁１７、１８を除いて、それらの周縁１４、１５に沿って溶着されて、オストミーパウチ１６を形成している。溶着されていない底縁１７、１８は、パウチに集められた廃液の排出のための排出口１９を含んでもよい。別の実施形態（図示せず）は、周縁に沿って全て溶着されて閉鎖パウチを作っている、前パネル及び後パネルを、有している。図２に示されるように、中央パネル１３は、前パネル１１を通して見られる。中央パネル１３は、その底縁２１を除いて、各周縁１４、１５、２０に沿って前パネル１１及び後パネル１２に溶着されている。中央パネルの底縁２１は、水平なパウチ中心線Ｂ−Ｂの上方に位置付けされている。中央パネル１３及び前パネル１１は、中央パネル１３の底縁２１の中央に位置している片面溶着部（single weld）２２によって互いに取り付けられている。片面溶着部の長さは、フィルターの長さより短い。別の実施形態では、片面溶着部は、フィルターの長さより長い。
【００４３】
後パネル１２は、ストーマ周り位置決め用の瘻孔開口部２３を有しており、瘻孔開口部２３は、水平なパウチ中心線Ｂ−Ｂの上方に位置している。前パネル１１は、水平なパウチ中心線Ｂ−Ｂの上方に位置しているフィルター２４を有しており、フィルター２４は、瘻孔開口部２３より高く位置付けされているが瘻孔開口部２３に一部重なっている。フィルター、瘻孔開口部、及び片面溶着部の、垂直な中心線は、垂直なパウチ中心線Ａ−Ａに沿って位置している。
【００４４】
前パネル１１、後パネル１２、及び中央パネル１３は、液体及びガスに対して概ね不透過性である可撓性のプラスチックフィルムで作製できる。適切なフィルムとしては、例えば、エチレン酢酸ビニル（ＥＶＡ）の一層以上と、ポリ塩化ビニリデン（ＰＶＤＣ）のようなガス遮断材の一層以上との、積層体を、挙げることができる。前パネル及び後パネルの少なくとも一方は、更に、外面を覆う一層以上の快適層を備えて、柔らかくて心地よい外面を提供してもよい。フィルムは、不透明でもよい。フィルムは、透明（clear）又は少し透明でもよく、その結果、使用者は、前パネル１１、後パネル１２、及び中央パネル１３の、少なくとも１つを、見通すことができる。
【００４５】
中央パネル１３は、均一な大きさの半球状の多数の突起２５を有している。突起２５は、縦列に配置されており、隣接した各縦列は、互いに対して、ずれている。各突起２５は、突起２５が崩壊性である場合以外は、突起無し前パネル１１に向かって突出している。崩壊性突起は、頂面を前パネル１１に向けて完全に突出させることができない。崩壊性突起の割合は、突起用材料の選択及び濃淡、及び／又は、突起の製作方法によって、調節される。中央パネル１３の突起無し部分２６は、片面溶着部２２とフィルター２４との間に位置付けされており、その結果、この部分２６は、前パネル１１に密接しており、フィルターシステムのこの部分を通る廃液流れを最小限にする。瘻孔開口部２３を通して露出している、中央パネル１３の突起無し部分２６は、ストーマに対して滑らかな面を示し、ストーマに接触した時のストーマ炎症（stomal irritation）の可能性を低減する。
【００４６】
図３は、第１の別の実施形態のオストミー器具１０を示しており、それにおいては、２個の追加の溶着部２２ａが、溶着部２２に加えて、中央パネル１３の底縁２１に沿って位置している。溶着部２２は、中央に位置しており、いずれの溶着部２２ａより長さが長い。各溶着部２２ａは、溶着部２２と周縁１４との間の中央に位置している。別の実施形態（図示せず）では、オストミー器具は、溶着部２２に加えて、中央パネル１３の底縁２１に沿った範囲に、１つ以上の溶着部２２ａを有している。更に別の実施形態（図示せず）では、１つ以上の溶着部２２ａが、溶着部２２と周縁１４との間の底縁２１に沿った範囲に、位置している。幾つかの実施形態（図示せず）では、１つ以上の溶着部２２ａが、溶着部２２より短い。幾つかの実施形態（図示せず）では、１つ以上の溶着部２２ａが、溶着部２２と同じ長さである。幾つかの実施形態（図示せず）では、１つ以上の溶着部２２ａが、溶着部２２より長い。
【００４７】
図４及び図５は、第２の別の実施形態のオストミー器具１０を示しており、それにおいては、均一な半球状の突起２５の大きさが、より大きい。図４及び図５に示されるように、突起２５は、崩壊性ではなく、前パネル１１に向かって完全に突出している。
【００４８】
図６は、第２実施形態のオストミーパウチフィルターシステムを備えたオストミー器具を、示している。そのシステムは、均一な大きさの多数の突起を備えており、その突起は、多面体形状を有しており、中央パネルにのみ位置している。各突起の菱形頂面は、突起が崩壊性である場合以外は、前パネルに向かって突出している。崩壊性突起は、頂面を前パネル１１に向けて完全に突出させることができない。突起は、ずれた横列で配置されている。片面溶着部とフィルターとの間の、中央パネルの突起無し部分の境界で、突起は、切頂立方形を有してもよい。
【００４９】
図７は、第３実施形態のオストミーパウチフィルターシステムを備えたオストミー器具を、示している。そのシステムは、均一な大きさの多数の突起を備えており、その突起は、多面体形状を有しており、中央パネルにのみ位置している。各突起の三角形頂面は、突起が崩壊性である場合以外は、前パネルに向かって突出している。崩壊性突起は、頂面を前パネルに向けて完全に突出させることができない。突起は、ずれた横列で配置されている。片面溶着部とフィルターとの間の、中央パネルの突起無し部分の境界で、突起は、切頂形を有してもよい。
【００５０】
図８は、第４実施形態のオストミーパウチフィルターシステムを備えたオストミー器具を、示している。そのシステムは、多数の突起を備えており、その突起は、２つの異なる大きさの多面体形状を有しており、中央パネルにのみ位置している。各突起の菱形頂面は、突起が崩壊性である場合以外は、前パネルに向かって突出している。崩壊性突起は、頂面を前パネルに向けて完全に突出させることができない。突起は、ずれた横列で配置されており、大きな菱形頂面を有する突起の横列と、小さな菱形頂面を有する突起の横列とが、交互になっている。片面溶着部とフィルターとの間の、中央パネルの突起無し部分の境界で、突起は、切頂形を有してもよい。
【００５１】
図９は、第５実施形態のオストミーパウチフィルターシステムを備えたオストミー器具を、示している。そのシステムは、多数の突起を備えており、その突起は、迷路パターンを作っており、中央パネルにのみ位置している。各突起の頂面は、突起が崩壊性である場合以外は、前パネルに向かって突出している。崩壊性突起は、頂面を前パネルに向けて完全に突出させることができない。片面溶着部とフィルターとの間の、中央パネルの突起無し部分の境界で、突起は、切頂形を有してもよい。
【００５２】
図４〜図９に示されたオストミー器具の、別の実施形態（図示せず）は、１つ以上の追加の溶着部２２ａを有している。１つ以上の追加の溶着部は、溶着部２２と周縁１４との間の底縁２１に沿った範囲に、位置している。幾つかの実施形態では、１つ以上の溶着部２２ａが、溶着部２２より短い。幾つかの実施形態では、１つ以上の溶着部２２ａが、溶着部２２と同じ長さである。幾つかの実施形態では、１つ以上の溶着部２２ａが、溶着部２２より長い。
【００５３】
図１０は、第６実施形態のオストミーパウチフィルターシステムを備えたオストミー器具を、示している。そのシステムは、均一な大きさの多数の突起を備えており、その突起は、半球状を有しており、中央パネルにのみ位置している。各突起の頂面は、突起が崩壊性である場合以外は、前パネルに向かって突出している。崩壊性突起は、頂面を前パネルに向けて完全に突出させることができない。突起は、ずれた縦列で配置されている。突起は、中央パネルの表面領域の全体に位置しており、片面溶着部とフィルターとの間に突起無し部分はない。前パネルと中央パネルとを取り付ける溶着部は、無い。第６実施形態のシステムの別の実施形態（図示せず）では、オストミー器具は、前パネルと中央パネルとを取り付ける片面溶着部２２を有している。第６実施形態のシステムの別の実施形態（図示せず）では、オストミー器具は、前パネルと中央パネルとを取り付ける片面溶着部２２と、溶着部２２と周縁１４との間の底縁２１に沿った範囲に位置する１つ以上の溶着部２２ａと、を有している。幾つかの実施形態では、１つ以上の溶着部２２ａが、溶着部２２より短い。幾つかの実施形態では、１つ以上の溶着部２２ａが、溶着部２２と同じ長さである。幾つかの実施形態では、１つ以上の溶着部２２ａが、溶着部２２より長い。
【００５４】
フィルター付オストミーパウチの利用実態を再現して、詰まり耐性を評価するために、特別に設計された「傾斜台」テスト装置でテストが実行された。テスト装置は、テストパウチを、垂直状態に保持し、指定時間間隔で水平状態に向けて傾けるように、構成されている。また、テスト装置は、身体で生成されたガスを模倣するために空気をテストパウチ内に注入する手段を、組み込んでいる。テストパウチは、フェクロン(Feclone)と呼ばれる模擬排泄物で満たされており、それは、詰まり見込みからフィルターシステムにチャレンジ(challenge)するために、望ましい粘度に混ぜられている。テスト中、各テストパウチは、垂直状態と水平状態とを継続して周期的に繰り返され、各テストパウチのフィルターシステムは、各状態で１０分の指定時間間隔で模擬排泄物及び模擬ガスに、晒された。各繰り返しの間、テストパウチには、各パウチを満たすのに十分な空気が注入された。テストパウチは、フィルターシステムが壊れない限りは、通常は、フィルターシステムを通して空気を放出することによって、収縮した。パウチ膨脹によって観察されるように、全てのパウチが壊れるまで、テストは続けられた。膨脹が生じた時、模擬排泄物はフィルターに詰まっており、フィルターを通した空気の放出は妨げられていた。フィルターシステム破壊の基準は、傾斜台の３回連続した繰り返しの間に完全に膨脹したパウチをもたらすように収縮する、テストパウチの不能である。
【００５５】
多くの市販のフィルターシステムが評価された。異なるフィルターシステムを備えた種々のパウチ製品のテスト結果を、図１１にまとめる。フィルターシステムＡ（テスト製品Ａ）は、本発明の一実施形態であり、図１０に示されている。フィルターシステムＢ（テスト製品Ｂ）は、本発明の別の実施形態であり、図１及び図２に示されている。テスト結果は、フィルターシステムＡが市販のオストミーパウチ（Convatec Esteem Plus）に組み込まれているプリーツのある中央パネル付のフィルターシステムよりも３３％長いフィルター寿命を有している、ことを示している。フィルターシステムＢは、市販のオストミーパウチ（「市販製品Ｄ」、Convatec Esteem Plus）に組み込まれているプリーツのある中央パネル付のフィルターシステムよりも１５０％長いフィルター寿命を有している。
【００５６】
本発明の好ましい実施形態が、示され、ここに記載されているが、そのような実施形態が実施例のみによって提供されていることは、当業者にとって明らかである。多くの変形、変更、及び置換は、本発明から逸脱することなく、当業者が想起できる。ここに記載された本発明の実施形態に対する種々の代替案は、本発明を実施するのに採用できる。請求項は本発明の範囲を画定するためのものであり、これらの請求項の範囲内の方法及び構成、及び、それらの均等物は、請求項によってカバーされる。
【図１】
0006676540.tif 000002
【図２】
0006676540.tif 000003
【図３】
0006676540.tif 000004
【図４】
0006676540.tif 000005
【図５】
0006676540.tif 000006
【図６】
0006676540.tif 000007
【図７】
0006676540.tif 000008
【図８】
0006676540.tif 000009
【図９】
0006676540.tif 000010
【図１０】
0006676540.tif 000011
【図１１】
0006676540.tif 000012